(57)【特許請求の範囲】
【請求項１】
可撓性を有し、合成樹脂製板状のパネル本体の長さ方向両端部に、鍔部を有する保持体を設け、一方、拡縮可能な調整機構の両端部に蝶番を介して固着部材を起伏自在に設け、この固着部材を前記鍔部に着脱自在に固着すると共に、前記調整機構を拡縮させて上記パネル本体を適宜の円弧状角度に形成したことを特徴とするコーナー用仮囲いパネル。
【請求項２】
前記パネル本体を、透明又は半透明に形成し或は遮蔽フィルムを貼り付けて不透明に形成した請求項１に記載のコーナー用仮囲いパネル。
【請求項３】
前記固着部材は、断面Ｕ字形状に形成され、このＵ字状部を前記鍔部に嵌合してボルトで着脱自在に固着した請求項１又は２に記載のコーナー用仮囲いパネル。
【請求項４】
前記調整機構は、一対の長尺状の調整板を有し、一方に長穴を形成し、当該長穴を介して適宜位置に移動調整してボルトにより固着して一対の調整板を拡縮自在に調整した請求項１乃至３の何れか１項に記載のコーナー用仮囲いパネル。
【請求項５】
前記一対の調整板の一方側に調整ボルトを挿通した固定部材を調整板に固着し、他方側の調整板に保持板を固着させ、前記調整ボルトを前記保持板に螺合させた請求項４に記載のコーナー用仮囲いパネル。
【発明の詳細な説明】
【技術分野】
【０００１】
本発明は、建設現場の仮囲い用パネルに関するものであり、特に、仮囲いした角部のコーナー部に配置するコーナー用仮囲いパネルに関する。
【背景技術】
【０００２】
従来から、建設現場等においては、安全や防音等のため仮囲い用パネルを建設現場周囲に立設して周囲と現場等を隔てている。パネルとパネルを連設する場合に、パネルの巾方向両端部を接続していくが、その際、仮囲いのコーナー部はパネルとパネルの端部を結合するため、尖った突設端部となり通行人等に邪魔であった。そのため角部突設端部にゴムやウレタン等の軟質部材を貼り付けたりして応急的な処置がなされているが、外観上良いものとはいえなかった。
【０００３】
また、仮囲いをする場所は常に直線的ではなく、湾曲している場所等も多く存在している。そのような場合に、フラット面状の仮囲いパネルでは連結がうまくいかず、隙間ができたりして危険な場合がある。そこで各種の仮囲い用パネルが提案されている。
特許文献１は、合成樹脂からなるコーナーパネルの両側端部に係合部を設けて、この係合部を他の鋼板とジョイント金具により連結して、現場の形状に合った角度に湾曲させることにより突設端部が形成されないコーナーパネルである。
特許文献２は、仮囲いパネルの一方端部に蝶番を構成する嵌合部を形成し、他の嵌合部を形成したパネルと嵌合させて蝶番構造とし、この蝶番部を仮囲いのコーナー部に設置したコーナーパネルである。
【特許文献１】特開２００１−８１９７３号公報
【特許文献２】特開２００２−１８０６７２号公報
【発明の開示】
【発明が解決しようとする課題】
【０００４】
しかし、特許文献１は、コーナー用パネルを湾曲させるものではあるが、コーナーパネルを他の鋼板と結合するために、ジョイント金具により結合している。このジョイント金具はパネルを結合するために必要不可欠であり、左右の結合部に複数個取付けなくてはならない。又、結合をより強固なものにするためには、より多くのジョイント金具が必要になり取付けに手間がかかる。
【０００５】
更に、上記のコーナーパネルを湾曲して立設させる場合に、まず、一方の鋼板を固定しその係合部とコーナーパネルの係合部を合わせ、次にコーナーパネルを適宜角度に湾曲させて他方の鋼板の係合部に結合させる。したがって、コーナーパネルを設置する場合には、必ず他の鋼板を立設させなければならず、かつ一方の係合部は必ず先にジョイント金具により結合させておかなければならず作業性に問題があるものであった。
【０００６】
特許文献２では、コーナー用パネルに蝶番を用いているが、パネル自体は鋼板であり歩行者等が衝突した場合などは緩衝材として衝撃を吸収することはできず、又鋼板自体は透明性のない鋼板であるので出会いがしらの事故が起きる危険性があった。また、コーナー用パネルの蝶番部にゴム等の緩衝材を貼り付けたものもあるが、曲がり角などではかえって他の歩行者等が見えにくくなり、出会いがしらの事故を誘発する危険性があり、さらに外観上も良いものとはいえなかった。
【０００７】
そこで本発明は、上記の問題点に鑑みてその目的とするところは、工事現場等で簡単に装着できしかも作業性が高く、また歩行者等の危険が少ない仮囲い用コーナーパネルを提供することにある。
【課題を解決するための手段】
【０００８】
上記目的を達成するため、請求項１に係る発明は、可撓性を有し、合成樹脂製板状のパネル本体の長さ方向両端部に、鍔部を有する保持体を設け、一方、拡縮可能な調整機構の両端部に蝶番を介して固着部材を起伏自在に設け、この固着部材を前記鍔部に着脱自在に固着すると共に、前記調整機構を拡縮させて上記パネル本体を適宜の円弧状角度に形成したコーナー用仮囲いパネルである。
【０００９】
請求項２に係る発明は、パネル本体は、透明又は半透明に形成し或は遮蔽フィルムを貼り付けて不透明に形成したパネルである。
【００１１】
請求項３に係る発明は、固着部材は、Ｕ字形状に形成し、このＵ字状部を鍔部に嵌合してボルトで着脱自在に固着したパネルである。
【００１２】
請求項４に係る発明は、調整機構は、一対の長尺状の調整板を有し、一方に長穴を形成し、当該長穴を介して適宜位置に調整しボルトで固着して一対の調整板を拡縮自在に調整するようにしたパネルである。
【００１３】
請求項５に係る発明は、一対の調整板の一方側に調整ボルトを挿通した固定部材を調整板に固着し、他方側の調整板に保持板を固着させ、前記調整ボルトを保持板に嵌合させたパネルである。
【発明の効果】
【００１５】
請求項１にかかる発明によると、現地に立設した仮囲い用パネルの角度を容易に建設現場等の角部形状に合わせて湾曲させることができるので、突設端部が形成されず歩行者が怪我をする危険性が著しく減少する。又、別途保管している調整機構により容易にパネルの曲げ角度の調整及び他のパネルとの連結ができるので、作業性の向上が図れる。更に、パネル自体の形状は他の仮囲い用パネル鋼板と同一で、フラット面を呈しているので運搬や保管に極めて簡便である。しかも、調整機構は蝶番を介することによりコーナーパネルを湾曲させた場合にも固着部材は影響を受けることなく、常に一定の力でパネル本体の鍔部を固着し保持することができ、また、パネル本体鍔部に着脱自在に取付けることができるので、パネル本体とは別に保管でき、更に現場等においてパネル掛設用パイプの取付け用フック部材をさけて取付けることができる。
【００１６】
請求項２にかかる発明によると、パネル本体を透明とすることにより、歩行者の出会いがしらの事故を防止することができる。また、フィルムを貼る若しくは剥がすことにより透明、半透明或は不透明とすることが出来るので、現場の状況に応じてパネル自体を交換する必要がなく、現場に対応したパネルを提供できる。
【００１８】
請求項３にかかる発明によると、固着部材はＵ字形状をなしているので、パネル本体鍔部に嵌合する場合には、常に鍔部の端部から一定の位置で固着することができるので、鍔部から調整機構がはずれることを防止することができる。また、着脱はボルトにより簡単にでき、作業性を向上することができる。
【００１９】
請求項４及び５にかかる発明によると、調整用ボルトを締付けることによりパネル本体
を適宜の角度に湾曲させることが可能となり、また調整板に設けた長穴に調整板固定用ボルトを挿通することにより調整板を固定し、一定の角度に本体パネルを維持することができる。更に、パネル本体は調整用ボルト及び固定用ボルトにより二重に固定されることとなるので、パネル本体の角度は常に一定に保つことができる。
【発明を実施するための最良の形態】
【００２１】
以下、本発明の構造、実施形態及び作用について、図面に基づいて説明する。
図１は、本発明のコーナー用仮囲いパネルの斜視図である。図２は、本発明のコーナー用仮囲いパネルを略９０度の角度に湾曲させたときの概略平面図であり、図３は調整機構の端部に設けてある固着部材の概略断面図である。図５乃至７は調整機構の平面図、正面図、背面図である。
【００２２】
本体パネル１は、可撓性を有する合成樹脂で、例えばポリカーボネート等を材料とし、寸法を（一例を示すと、長さ方向を略２０００〜３０００mm、巾方向を略５００mm）既存の仮囲い用パネルと同寸法としている。この巾方向の両端部は、略Ｌ字形状に成形されており、図３に示すようにＬ字形状部を覆うように略コ字形状の保持体４により覆われている。この保持体４は、アルミニウム系の押出し成形によって形成されており、パネル本体１のＬ字形状部の長さ方向とほぼ同一の長さを有しており、又巾方向を、Ｌ字状底部１１を保持体底部１２がちょうど被せることができる大きさとしている。図３に示すようにパネル本体１のＬ字状底部１１と保持体４の底部１２はリベット３或はビス等で接続されており、Ｌ字状底部に沿って複数個所をビス等で接続されている。保持体４は後述する固着部材８に固着することのできる鍔部５を形成している。なお、図２に示すように、保持体底部１２と垂直に、鍔部５と同一平面上にも折曲片５Ａを有する形状とすることもできる。
【００２３】
また、パネル本体１は、透明又は半透明であり、或は遮蔽フィルムを貼ることによって不透明とすることがきる。なお、可撓性のある材質であれば上記ポリカーボネートに限られないが、工事現場等に設置されるために、耐久性、耐光性、耐候性の高いものでなければならない。
【００２４】
前記固着部材８は、図５に示すように調整機構６の両端部に設けられており、断面を略Ｕ字形状とし、調整板７Ａの一方側端部に蝶番１３を介して設けられている。この固着部材８はパネル本体１の湾曲角度に応じて変動するが、蝶番１３によって起伏自在に調整板７Ａと連結されている。固着部材８は、Ｕ字状部１０とボルト９を有し、Ｕ字状部１０は蝶番１４Ａに溶接等により接続されている。このＵ字状部の溶接面の対面には、ボルト８を螺入するためのめねじが設けてある。
【００２５】
上記調整機構６は、図５に示すように前記固着部材８を端部に有する一対の長尺状の調整板７Ａ、７Ｂを有し、一方の調整板７Ａには長尺状の長手方向に沿って板中央部に固定ボルト２０を挿通でき、かつ固定ボルト２０と固定ナット２１により調整板７Ａ、７Ｂを固着可能とする略楕円形の長穴１６が設けてある。この調整板７Ａは蝶番板１４Ｂと溶接等により固着され、蝶番１３を介して蝶番板１４Ａに固着部材８を溶接により固着している。更に蝶番板１４Ｂとの溶接部上面に、固定部材１８を固着している。
一方、調整板７Ｂは、固着部材８Ａと反対側端部に固定用ボルト２０を挿通するための挿通孔２０Ａを有し、更に同軸上に保持板１９を固定ナット２１で固定できるようにしている。
【００２６】
上記固定部材１８と保持板１９は、ともに調整ボルト１７を挿通することができ、保持板１９には調整用ボルト１７と螺合するようにめねじが設けてある。ここで調整用ボルト１７はパネル本体１の角度を調整するためのものであり、一定の角度まで調整機構を拡縮させることが可能な長さを有している。
なお、調整機構６はアルミニウム系の押出し成形により形成されており、軽量で加工が容易であり、しかも強度が高いので現場作業等においても変形や破損が少なく、長期間風雨に晒されても機能を損なうことはない。
【００２７】
図４示すように、２２は取付金具、２３はフック部材であり、これらは上記パネル本体１を立設するために、パイプＰに掛設する部材である。図４にあるように、取付金具２２は断面を略コ字形状とし、保持体４の鍔部５を挟持するため、図示しないボルトを有しており、このボルトをねじ込むためのめねじを、コ字形状の一端部に設けている。
フック部材２３は、取付金具に挟持される押圧部とその先端部を略半円形の円弧状部と
を有しており、このフック部分にパイプＰを掛けてパネル本体１を固定する。
なお、上記フック部材２３、取付金具２２も調整機構６と同様にアルミニウム系の押出し成形により形成されており、軽量で頑丈である。
【００２８】
次に、実施形態について図面に基いて、作用と共に説明する。
本発明の本体パネル１は、運搬等の際には通常のパネルと同様にフラットな状態であるので、本発明を実施する場合には、まず、パネル本体１を湾曲させなければならない。
そこで、まず図３示すように、本体パネル１に保持体４を覆うように被せる。パネル本体１は合成樹脂製であり、パネル本体１に保持体４を取付けるには、リベットやビス等で固着する。調整機構６は、パネル本体１の長さ方向にわたって複数個設けるようにする。保持体４を本体パネル１に接続することにより、鍔部５がパネル本体１に形成されることになる。
【００２９】
次いで、調整機構６を本体パネル１に取付ける。図３に示すように調整機構６の両端部には、固着部材８が設けられており、上記本体パネル１に接続した保持体４の鍔部５に接続する。まず、固着部材８を鍔部５の希望の位置に設置し、Ｕ字状部１０に鍔部５を挿入しボルト９を締め付ける。これを反対側の鍔部でもおこない、調整機構６をパネル本体１に取付けつる。
【００３０】
その後、取り付けた調整機構６を現場等のコーナーにあわせて湾曲させていく。即ち、取り付けた調整機構６は、パネル本体１と平行な状態で鍔部５を圧着している状態で、調整ボルト１７を固定部材１８に挿通し、さらに保持板１９にねじ込んでいく。保持板１９は固定ボルト２０によって調整板７Ｂと接続されており、７Ｂは固着部材８Ａと溶接により接続されているので、調整ボルト１７をねじ込んでいくと、保持板１９は固定部材１８の方向に引き寄せられる。よって、固着部材８Ａにより固着されているパネル本体はパネルの鍔部側に引き寄せられ、次第に湾曲していく。
【００３１】
パネル本体１には、鍔部側（背面部）に調整機構６を設けているが、通常は複数個設けている。そして、所望の位置まで湾曲させたら、次に摺動可能に緩めておいた固定ボルト２０を固定ナット２１に螺入して締め付け、固定する。固定ボルト２０は長穴１６内を調整ボルト１７の締付けに応じて摺動しており、パネル本体１を湾曲させるために、摺動可能な程度で且つ脱落しない程度に緩めておけば、常に調整ボルト１７と連動した適宜の位置に摺動しており、ボルト２０を締付けるだけでパネル本体１を希望の角度に保持することができる。
なお、図５に示すようにボルト２０には保持板１９が挿通されており、固定ナット２１で締付けられ固定されている。
【００３２】
上記方法により実施されたパネル本体１を、今度は図４に示すように掛設用のパイプＰに掛設する。まず、コ字形状の取付金具２２のコ字形状部分に、図示しないボルトで鍔部５とフック部材２３の押圧部をコ字形状内部に収用しボルトによって、締付け圧着挟持する。同様にパネル２の鍔部にも同位置に取付金具２２を取付ける。これによりパネル本体１をパイプＰに掛設することができる。
なお、図４において調整機構６は図示されていないが、調整機構６、取付金具２２共に鍔部５上であれば任意の位置に着脱自在に設置することができるので、両者が重なり合い取付けができないということはない。
【００３３】
次に、他の例を説明する。上記調整機構６の他に、図示しないが、一対の長尺状の板を有し、両端部に蝶番を介した鍔部５に取付け可能な取付け部で予め固着しておき、その長尺状板の一方には長さ方向と平行な板固定用ボルトを挿通可能な長穴を有し、他方の長尺状板には板固定用ボルト及びナットを有し、一方の長穴と平行な位置に当該ボルトを挿通可能な挿通孔が設けてある調整機構である。
当該調整機構は、鍔部５に当該調整機構を予め取付ける場合に、まず、調整機構両端部にある直接蝶番を構成する板部を鍔部５の適宜の位置に、ボルト、ビス等により直接鍔部５に固着しておく。この調整機構の取扱いは、板固定用ボルトを摺動可能で且つ脱落しない程度に緩めておき、パネル本体を希望に角度に湾曲させる。パネル本体１の湾曲角度に伴って、当該ボルトが摺動し希望の位置にきたらボルトを締付けることにより、パネル本体１の角度を維持することができる。
【００３４】
以上の説明から明らかなように、本願発明によれば工事現場等の仮囲いコーナー部の危険性を、コーナーパネルを可撓性を有する材とし、更に容易に湾曲させることが可能な構造とすることで、危険を取除き安全でしかも外観上もよく、さらにコーナーパネルを透明又は半透明とすることで従来から解決がされていなかった出会いがしらの事故等も防止できる仮囲い用コーナーパネルを提供することができる。
【図面の簡単な説明】
【００３５】
【図１】本発明のコーナー用仮囲いパネルの斜視図である。
【図２】本発明のコーナー用仮囲いパネルを略９０度の角度に湾曲させたときの平面概略図である。
【図３】調整機構の端部に設けてある固着部材の概略断面図である。
【図４】本発明のコーナー用仮囲いパネルを略９０度の角度に湾曲させて掛設用パイプに掛設した時の平面外略図である。
【図５】調整機構の断面平面図である。
【図６】調整機構の背面図である。
【図７】調整機構の正面図である。
【符号の説明】
【００３６】
１  パネル本体
２  連設パネル
３  リベット
４  保持体
５  鍔部
６  調整機構
７Ａ、７Ｂ  調整板
８  固着部材
９  ボルト
１０  Ｕ字状部
１１  Ｌ字状底部
１２  保持体底部
１３  蝶番
１４Ａ、１４Ｂ  蝶番板
１５Ａ、１５Ｂ  蝶番板
１６  長穴
１７  調整ボルト
１８  固定部材
１９  保持板
２０  固定ボルト
２１  固定ナット
２２  取付金具
２３  フック部材
【図１】
0005162169.tif 000002
【図２】
0005162169.tif 000003
【図３】
0005162169.tif 000004
【図４】
0005162169.tif 000005
【図５】
0005162169.tif 000006
【図６】
0005162169.tif 000007
【図７】
0005162169.tif 000008